(57)【要約】      （修正有）【課題】銅（Ｃｕ）の丸い板に６ヶ所の穴があり、水が通るときに銅の特性であるバクテリアを分解する要素を活かし、ヌメリの発生を防止し水を浄化して流す器具此の銅器具を提供する。【解決手段】現在一般的に使用されているヌメリ止めは、粉末叉は固形のものですが、いずれも消耗品であるため耐えず保持、補充しなければなりません。それにくらべるとヌメリ止めは銅金属であるため長期間しかも簡単に使用することが出来、従って経済的です。【選択図】図１
2005264694.tif 000002
【特許請求の範囲】
【請求項１】
金属の銅体（１）、銅体に開けられた６ケ所の通水孔（２）、銅体を取り出す糸を固定する穴（３）、及び付属のヒニール糸（４）、により構成され、これを利用することにより流しの中のバクテリアの発生を防止し、内部を清潔に保ちます。
【発明の詳細な説明】
【発明の詳細な説明】
【０００１】［発明の属する技術分野］
一般家庭はもとより、飲食店等の常温多湿で不衛生な排水口（流し）の中に本製品  ヌメリ止め  を設置するだけで雑菌による惡臭、ヌメリ等を防止すると共に流水を浄化して排水することを目的とします。
【０００２】［縦来の技術］
現在排水口（流し）のヌメリを取る目的で、粉末、粒状又は固形の薬品が使用されている様です。
【０００３】［発明が解決しようとする課題］
前項に申し上げましたが、これらの商品はヌメリを取ることはできてもそれ等の薬物も一緒に流され、環境的にも問題ではないでせうか。
しかも絶えず手元に保持、補充しなければならない、消耗品であると言うことです。費用の点でもたいへんです。それに比べヌメリ止めは銅金属であるために長期間、簡単に使用でき経済的です。
【０００４】［課題を解決するための手段］
ヌメリ止めは銅（Ｃｕ）の金属で造られています。銅にはいろいろな特性がありますが中でも耐触性、耐酸性の外に耐菌性にも強く惡条件の中でも表面に酸化幕を生じ内部を保護することは周知の通りですがその性質を利用してヌメリ等のバクテリアの発生を防止し、惡臭を除去することにより汚水を浄化して排水することで基本的な問題を解決致します。それが他の商品と異なるところです。しかも此の銅器具は長期的に仕用する事ができます。本発明は金属の銅体（１）、通水孔（２）、銅体にビニール糸を結ぶ穴（３）そして銅体取り出し用の糸（４）、以上の構成により、水を浄化して流す役目をする金具です。
【０００５】［発明の実施の形態］
（イ）  薄い銅板からなる、丸い銅体（１）に金具の径に比例して６ケ所の通水孔の穴（２）をあける。
（ロ）  銅体（１）の中央に本体を取り出すための糸（４）を通す穴（３）をあける。
ビニールの糸を接続して生ゴミを取り出す前に此の糸を上から持ち上げて器具を取り出しその後に生ゴミを捨てる仕組みになっています。
使用法はビニール糸（４）をつけた銅体を流しの排水孔（６）の中にある円筒型の金網（５）の底に設置するだけです。そして流しの中に溜まった生ゴミを捨てる時に本体を引き上げ、汚れを落として元通りにもどします。
本発明は排水孔の中のヌメリを取り奇麗にする目的で、取扱いが簡単で径済的に安価でしかも長期的に使用出来ることを考え作られた製品です。
【０００６】［発明の効果］
常温に於て不衛生な排水溝（流し）の中に、溜まるゴミ類により発生するバクテリア等の細菌によるヌメリ、臭い等が此の器具を使う事により流し内部は元より、排水される水も浄化されしかも衛生的となります。
【図面の簡単な説明】［図１］
本発明の平面図
［図２］
側面図
［図３］
本発明の使用法
【符号の説明】
（１）銅体、（２）通水孔、（３）ビニール糸取付穴、（４）ビニール糸
（５）流しの金網、（６）流しの排水孔
（Ａ）外  径      （Ｃ）内  径
（Ｂ）穴の中心径  （ｔ）厚  さ
【図１】
2005264694.tif 000003
【図３】
2005264694.tif 000004
【手続補正書】
【提出日】平成16年5月21日(2004.5.21)
【手続補正１】
【補正対象書類名】明細書
【補正対象項目名】全文
【補正方法】変更
【補正の内容】
【発明の詳細な説明】
【技術分野】
【０００１】一般家庭はもとより、飲食店等の常温多湿で不衛生な排水口（流し）の中に本製品  ヌメリ止め  を設置するだけで雑菌による惡臭、ヌメリ等を防止すると共に流水を浄化して排水することを目的とします。
【縦来の技術】
【０００２】現在排水口（流し）のヌメリを取る目的で、粉末、粒状又は固形の薬品が使用されている様です。
【発明が解決しようとする課題】
【０００３】前項に申し上げましたが、これらの商品はヌメリを取ることはできてもそれ等の薬物も一緒に流され、環境的にも問題ではないでせうか。
しかも絶えず手元に保持、補充しなければならない、消耗品であると言うことです。費用の点でもたいへんです。それに比べヌメリ止めは銅金属であるために長期間、簡単に使用でき経済的です。
【課題を解決するための手段】
【０００４】ヌメリ止めは銅（Ｃｕ）の金属で造られています、銅にはいろいろな特性がありますが中でも耐触性、耐酸性の外に耐菌性にも強く惡条件の中でも表面に酸化幕を生じ内部を保護することは周知の通りですがその性質を利用してヌメリ等のバクテリアの発生を防止し、惡臭を除去することにより汚水を浄化して排水することで基本的な問題を解決致します。それが他の商品と異なるところです。しかも此の銅器具は長期的に仕用する事ができます。本発明は金属の銅体（１）、通水孔（２）、銅体にビニール糸を結ぶ穴（３）そして銅体取り出し用の糸（４）、以上の構成により、水を浄化しで流す役目をする金具です。
【発明を実施するための最良の形態】
【０００５】（イ）  薄い銅板からなる、丸い銅体（１）に金具の径に比例して６ケ所の通水孔の穴（２）をあける。
（ロ）  銅体（１）の中央に本体を取り出すための糸（４）を通す穴（３）をあける。
ビニールの糸を接続して生ゴミを取り出す前に此の糸を上から持ち上げて器具を取り出しその後に生ゴミを捨てる仕組みになっています。
使用法はビニール糸（４）をつけた銅体を流しの排水孔の中にある円筒型の金網（５）の底に設置するだけです。      そして流しの中に溜まった生ゴミを捨てる時に本体を引き上げ、汚れを落として元通りにもどします。
本発明は排水孔の中のヌメリを取り奇麗にする目的で、取扱いが簡単で径済的に安価でしかも長期的に使用出来ることを考え作られた製品です。
【発明の効果】
【０００６】常温に於て不衛生な排水溝（流し）の中に、溜まるゴミ類により発生するバクテリア等の細菌によるヌメリ、臭い等が此の器具を使う事により流し、内部は元より、排水される水も浄化されしかも衛生的となります。
【図面の簡単な説明】
【図１】本発明の平面図
【図２】側面図
【図３】本発明の使用法
【符号の説明】
（１）銅体、（２）通水孔、（３）ビニール糸取付穴、（４）ビニール糸
（５）流しの金網、
【手続補正２】
【補正対象書類名】図面
【補正対象項目名】全図
【補正方法】変更
【補正の内容】
【図１】
2005264694.tif 000005
【図２】
2005264694.tif 000006
【図３】
2005264694.tif 000007
【手続補正３】
【補正対象書類名】特許請求の範囲
【補正対象項目名】全文
【補正方法】変更
【補正の内容】
【特許請求の範囲】
【請求項１】
金属の銅体（１）、銅体に開けられた６ケ所の通水孔（２）、銅体を取り出す糸を固定する穴（３）、及び付属のヒニール糸（４）、により構成され、これを利用することにより流しの中のバクテリアの発生を防止し、内部を清潔に保ちます。